(57)【要約】【課題】  簡易な構成でコスト削減を図りつつ表示態様を切り換えて複数の特定情報を表示することを目的とする。【解決手段】  本発明の電子機器１００は、所定の波長の可視光である青色光を発する青色発光ダイオード１１８と、青色光と波長が異なる可視光である赤色光を発する赤色発光ダイオード１２０と、青色光および赤色光を遮光する遮光面に青色光および赤色光を透過させる透過窓１１２を設けた遮光パネル１１０と、透過窓の一部を覆い、赤色光を透過させ、青色光を遮光するロングパスフィルタ１１４と、青色発光ダイオードまたは赤色発光ダイオードのいずれか一方を発光させる発光切換部１４０と、を備えることを特徴とする。【選択図】    図１
2010217716.tif 000002
【特許請求の範囲】
【請求項１】
所定の波長の可視光である第１可視光を発する第１発光部と、
前記第１可視光と波長が異なる可視光である第２可視光を発する第２発光部と、
前記第１可視光および前記第２可視光を遮光する遮光面に、前記第１可視光および前記第２可視光を透過させる透過窓を設けた遮光パネルと、
前記透過窓の一部を覆い、前記第２可視光を透過させ、前記第１可視光を遮光する第１フィルタと、
前記第１発光部または前記第２発光部のいずれか一方を発光させる発光切換部と、
を備えることを特徴とする電子機器。
【請求項２】
前記第１フィルタは、波長が５００ｎｍ未満の可視光を遮光するロングパスフィルタであることを特徴とする請求項１に記載の電子機器。
【請求項３】
前記透過窓の一部を覆い、前記第１可視光を透過させ、前記第２可視光を遮光する第２フィルタをさらに備えることを特徴とする請求項１または２に記載の電子機器。
【請求項４】
前記第２フィルタは、波長が５００ｎｍ以上の可視光を遮光するショートパスフィルタであることを特徴とする請求項３に記載の電子機器。
【請求項５】
前記遮光パネルに対応して配置され、１または複数の検知領域を有するタッチパネルと、
前記検知領域に機能を割り当てる中央制御部と、
前記タッチパネルに操作入力が行われると、その操作入力が行われた位置が含まれる検知領域を特定するタッチパネル制御部とを備え、
前記中央制御部は、前記発光切換部が前記第１発光部と前記第２発光部とを切り換えるのに応じて、前記検知領域に割り当てる機能を変更することを特徴とする請求項１から４のいずれか１項に記載の電子機器。
【請求項６】
前記タッチパネル制御部は、前記第１発光部と前記第２発光部との切り換えに応じて、前記検知領域の数または大きさの内、少なくとも一方を変更することを特徴とする請求項１から５のいずれか１項に記載の電子機器。
【請求項７】
前記第１発光部は青色発光ダイオードであり、前記第２発光部は、赤色発光ダイオードであることを特徴とする請求項１から６のいずれか１項に記載の電子機器。
【発明の詳細な説明】
【技術分野】
【０００１】
本発明は、発光を通じて視覚的に情報を提示する電子機器に関する。
【背景技術】
【０００２】
一般に電子機器に設けられた操作キーの押下面には、その名称や機能等、操作キーを特定可能な特定情報が文字や図形またはその組合せとして貼付されている。また、かかる特定情報を、発光を通じて表示する表示装置もあり、この表示装置を用いることによって、ユーザは夜間や暗室でもその文字を視認することができる。そして近年では、このような発光を伴う表示装置として、液晶モニタ（液晶表示装置）が広く採用されるようになり、例えば、カーナビゲーション装置、ＡＶ機器（オーディオ機器や映像再生装置）等の操作キーにも搭載されている。
【０００３】
また、このような液晶モニタの表示バリエーションを高めるべく、液晶モニタの一種である半透過型液晶モニタにおいて、内部の光源部からの光のみが通過するように、半透過反射板とその背面側にある光源部との間にもカラーフィルタを追加する構成が提案されている（例えば特許文献１）。この構成を用いた液晶モニタは、外部光源からの光を半透過反射板で反射して利用した際の明るさを維持しつつ、内部の光源部からの光を彩度良好に調節することが可能となり、表示品質を改善することができる。かかる構成に限らず、一般に、液晶モニタは、表示品質が高く、自由度の高い表示機能を備えているため、テレビやパーソナルコンピュータ等の表示装置としても広く用いられている。
【先行技術文献】
【特許文献】
【０００４】
【特許文献１】特開２０００−９８３６４号公報
【発明の概要】
【発明が解決しようとする課題】
【０００５】
しかし、カーナビゲーション装置、ＡＶ機器における、カラー画像を表示することを目的とするメイン表示部以外の部位に設けられた操作キーには、その操作キーの名称やその操作キーが押下された場合に実行される機能等の特定情報が表示されるが、かかる表示内容は、限られた数パターンの文字や図形の表示で事足りる場合が多い。
【０００６】
この操作キーの周辺部や押下面に、特許文献１に記載されたような半透過型液晶モニタや、その他の液晶モニタを用いた場合、液晶モニタの最低限の表示機能を実現するために、複雑な演算を行う制御機構、液晶ユニット、多数の制御部品等が必要となり、無駄に材料・製造コストが高くなってしまう。
【０００７】
本発明は、このような課題に鑑み、簡易な構成でコスト削減を図りつつ、表示態様を切り換えて複数の特定情報を表示することが可能な電子機器を提供することを目的としている。
【課題を解決するための手段】
【０００８】
上記課題を解決するために、本発明の電子機器（１００）は、所定の波長の可視光である第１可視光を発する第１発光部（１１８）と、第１可視光と波長が異なる可視光である第２可視光を発する第２発光部（１２０）と、第１可視光および第２可視光を遮光する遮光面に、第１可視光および第２可視光を透過させる透過窓（１１２）を設けた遮光パネル（１１０）と、透過窓の一部を覆い、第２可視光を透過させ、第１可視光を遮光する第１フィルタ（１１４）と、第１発光部または第２発光部のいずれか一方を発光させる発光切換部（１４０）と、を備えることを特徴とする。
【０００９】
本発明の電子機器を用いると、ユーザは、第２発光部が発光している間、第２可視光が透過窓全体を通過するので透過窓の全体形状を視認することができ、第１発光部が発光している間、第１可視光が部分的に第１フィルタに遮られてしまうため、透過窓の第１フィルタで覆われていない一部形状のみを視認することができる。この透過窓の全体形状と一部形状といったように、それぞれ異なる複数の表示態様（発光位置と発光色との組合せ）を形成しておくことにより、発光する発光部を切り換える簡易な制御を実行するだけで、異なる複数の特定情報（文字や図形またはその組合せ）をユーザに視認させることができ、複雑な制御機構を用いることなく、低コストかつ多様な切換表示を実現することが可能となる。
【００１０】
第１フィルタは、波長が５００ｎｍ未満の可視光を遮光するロングパスフィルタであってもよい。波長が５００ｎｍ未満の可視光を遮光するロングパスフィルタは、遮光フィルタとして一般的に用いられているため安価であり、製造コストを削減することが可能となる。
【００１１】
上記電子機器は、透過窓の一部を覆い、第１可視光を透過させ、第２可視光を遮光する第２フィルタ（１１６）をさらに備えてもよい。
【００１２】
ここでは、さらに、第２発光部が発光している間、第２可視光が部分的に第２フィルタに遮られるため、ユーザは、透過窓の第２フィルタで覆われていない一部形状のみを視認することができる。従って、第１フィルタで覆われていない一部形状と、第２フィルタで覆われていない一部形状といったように、それぞれ異なる複数の表示態様を形成しておくことにより、発光する発光部を切り換える簡易な制御を実行するだけで、異なる複数の特定情報をユーザに視認させることができ、複雑な制御機構を用いることなく、低コストかつ多様な切換表示を実現することが可能となる。
【００１３】
第２フィルタは、波長が５００ｎｍ以上の可視光を遮光するショートパスフィルタであってもよい。波長が５００ｎｍ以上の可視光を遮光するショートパスフィルタは、遮光フィルタとして一般的に用いられているため安価であり、製造コストを削減することが可能となる。
【００１４】
上記電子機器は、遮光パネルに対応して配置され、１または複数の検知領域を有するタッチパネル（３１０）と、検知領域に機能を割り当てる中央制御部（３２８）と、タッチパネルに操作入力が行われると、その操作入力が行われた位置が含まれる検知領域を特定するタッチパネル制御部（３４２）とを備え、中央制御部は、発光切換部が第１発光部と第２発光部とを切り換えるのに応じて、検知領域に割り当てる機能を変更してもよい。
【００１５】
タッチパネルと簡易な切換表示を行う表示部とを一体に構成することで、低コストのタッチパネル式のユーザ入力機能を実現することができる。
【００１６】
タッチパネル制御部は、第１発光部と第２発光部との切り換えに応じて、検知領域の数または大きさの内、少なくとも一方を変更してもよい。
【００１７】
本発明の電子機器は、その表示態様に応じた特定情報の切り換えと、１または複数の検知領域の、タッチパネル全面の中の配分（検知領域の数、大きさ）の切り換えとを、連動させることができる。かかる構成により、複雑な制御機構を用いなくとも、低コストで、多様な検知領域に対応したタッチパネル式のユーザ入力機能を実現することが可能となる。
【００１８】
第１発光部は青色発光ダイオードであり、第２発光部は赤色発光ダイオードであってもよい。
【００１９】
赤色光と青色光の波長は、可視光の波長の中で比較的離れており、遮光フィルタの精度（方式、次数、傾斜）に拘わらず２つの色を確実に区別することができる。ここで青色よりも赤色と波長が離れた光に紫色光もあるが、色相が赤色に近いため赤色と識別し難くなってしまう。遮光フィルタによる制御のし易さと、色の識別のし易さとのバランスに長けた赤色と青色の光を用いることで、切換表示された表示態様をより識別し易くすることができる。さらに、青色発光ダイオードおよび赤色発光ダイオードは汎用部品であるため安価であり、製造コストを低減することが可能となる。
【発明の効果】
【００２０】
本発明の電子機器は、簡易な構成でコスト削減を図りつつ、表示態様を切り換えて複数の特定情報を表示することが可能となる。
【図面の簡単な説明】
【００２１】
【図１】第１の実施形態における電子機器の操作表示部の表示態様を説明するための斜視図である。
【図２】第１の実施形態における電子機器の電気的な構成を示したブロック図である。
【図３】第１の実施形態における操作表示部の光の透過と遮光との関係を模式的に説明するための説明図である。
【図４】第１の実施形態における操作表示部の制御モード別の表示例を示した説明図である。
【図５】第１の実施形態における他の電子機器の表示態様を説明するための説明図である。
【図６】第１の実施形態における電子機器の表示態様の適用例を例示した説明図である。
【図７】第１の実施形態における発光方法の処理の流れを説明するためのフローチャートである。
【図８】第２の実施形態における電子機器の電気的な構成を示したブロック図である。
【図９】第２の実施形態における電子機器の操作表示部の表示態様を説明するための説明図である。
【図１０】第３の実施形態における電子機器の電気的な構成を示したブロック図である。
【図１１】第３の実施形態における電子機器の操作表示部の表示態様を説明するための説明図である。
【図１２】第３の実施形態における発光方法の処理の流れを説明するためのフローチャートである。
【発明を実施するための形態】
【００２２】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
（第１の実施形態：電子機器１００）
図１は、第１の実施形態における電子機器１００の操作表示部１０２の表示態様を説明するための斜視図である。図１に示すように、操作表示部１０２は前面側から順に遮光パネル１１０、第１フィルタとしてのロングパスフィルタ（シャープカットフィルタ）１１４および第２フィルタとしてのショートパスフィルタ１１６、第１発光部としての青色発光ダイオード（ＬＥＤ：Light Emitting Diode）１１８および第２発光部としての赤色発光ダイオード１２０が配されている。また、図示しないが電源を有している。
【００２４】
遮光パネル１１０の遮光面は、可視光（少なくとも第１可視光および第２可視光）を遮光する。かかる遮光面には、複数の表示態様となる文字や図形等の特定情報を形取った透過窓１１２が、設けられている。かかる透過窓１１２は遮光パネル１１０を貫通する孔であってもよいし、または簡易防水のためにかかる孔に可視光を透過する透過部材を充填したものであってもよい。
【００２５】
ロングパスフィルタ１１４は、波長が５００ｎｍ未満の可視光を遮光し、ショートパスフィルタ１１６は、波長が５００ｎｍ以上の可視光を遮光する。ロングパスフィルタ１１４およびショートパスフィルタ１１６は、遮光フィルタとして一般的に用いられているため安価であり、製造コストを削減することが可能となる。
【００２６】
青色発光ダイオード１１８および赤色発光ダイオード１２０は、発光スイッチ部１２２に電気的に接続されている。本実施形態において操作表示部１０２は、青色発光ダイオード１１８や赤色発光ダイオード１２０が発する可視光に、遮光パネル１１０に設けられた透過窓１１２を透過させ、透過した可視光を通じて、透過窓１１２が形取った文字（本実施形態では、「−」、「＋」、「ＮＡＶＩ」、「ＡＶ」、「モードへ切換」等）や図形等の特定情報を、ユーザに視認させることができる。
【００２７】
本実施形態では、電子機器１００をＡＶ機能付きのナビゲーション装置に適用した場合を例にあげて説明するが、かかる場合に限られず、簡易な表示機能を必要とする他の電子（電気）機器、例えば、ボイスレコーダ、ＦＡＸ、ラジオ、電子炊飯器、洗濯機、掃除機、空気清浄機等を電子機器１００としてもよい。
【００２８】
上述したように、電子機器１００は、自体の現在の制御モード（ＮＡＶＩモードまたはＡＶモード）に応じて、文字や図形を用いて表現された、複数の特定情報を切換表示することができる。かかる電子機器１００の電気的な構成や切換表示の機構について、以下に図面を用いながら説明する。
【００２９】
図２は、第１の実施形態における電子機器１００の電気的な構成を示したブロック図である。電子機器１００は、青色発光ダイオード１１８および赤色発光ダイオード１２０を含む操作表示部１０２と、発光スイッチ部１２２と、操作部１２４と、ディスプレイ１２６と、スピーカ１２８と、中央制御部１３０と、ＡＶ機能部１３２と、ナビゲーション機能部１３４と、を含んで構成される。操作表示部１０２含まれる青色発光ダイオード１１８、赤色発光ダイオード１２０は、それぞれ発光スイッチ部１２２に電気的に接続され、発光スイッチ部１２２、操作部１２４、およびディスプレイ１２６は、中央制御部１３０にそれぞれ電気的に接続されている。
【００３０】
青色発光ダイオード１１８は、セレン化亜鉛、炭化珪素、サファイアを用いた半導体素子で構成され、電力を供給すると第１可視光としての青色光（例えば、波長４３５．８ｎｍ）を発する。
【００３１】
赤色発光ダイオード１２０は、アルミニウムガリウムヒ素、ガリウムヒ素リン、リン化ガリウム等を用いた半導体素子で構成され、電力を供給すると青色光と波長が異なる可視光である、第２可視光としての赤色光（例えば、波長７００ｎｍ）を発する。
【００３２】
青色発光ダイオード１１８および赤色発光ダイオード１２０は、それぞれ１つずつ配置してもよいが、発光した可視光がより均一に透過窓１１２から透過するように複数配置してもよい。また、導光板や反射板等を用いて、可視光を拡散または反射させてもよい。かかる構成により透過窓１１２を通じて、文字や図形等の特定情報をムラ無く均一した光量で表すことができる。
【００３３】
ここで用いられる赤色光と青色光の波長は、可視光の波長の中で比較的離れており、遮光フィルタの精度（方式、次数、傾斜）に拘わらず２つの色を確実に区別することができる。ここで青色よりも赤色との波長が離れている光に紫色光もあるが、色相が赤色に近いため赤色と識別し難い。遮光フィルタによる制御のし易さと、色の識別のし易さとのバランスに長けた赤色と青色の光を用いることで、切換表示された表示態様をより識別し易くすることができる。さらに、青色発光ダイオード１１８および赤色発光ダイオード１２０は汎用部品であるため安価であり、製造コストを低減することが可能となる。
【００３４】
発光スイッチ部１２２は、スイッチ回路によって構成され、後述する発光切換部１４０の指示に応じて、電力を青色発光ダイオード１１８または赤色発光ダイオード１２０のいずれか一方に供給する。
【００３５】
操作部１２４は、キーボード、十字キー、ジョイスティック、プッシュスイッチ等可動式プッシュボタンスイッチで構成され、ユーザの操作入力を受け付け、受け付けた操作入力を、後述する中央制御部１３０に伝送する。
【００３６】
ディスプレイ１２６は、例えば、液晶もしくは有機ＥＬ(Electro Luminescence)等で構成され画像（動画および静止画）を表示する。スピーカ１２８は、駆動部および振動版等で構成され、音声を出力する。
【００３７】
中央制御部１３０は、中央処理装置（ＣＰＵ）を含む半導体集積回路で構成され、電子機器１００内に格納された実行プログラムに従って、電子機器１００全体を制御する。具体的に、中央制御部１３０は、例えば、ＡＶ機能部１３２やナビゲーション機能部１３４を制御することで、地図、音楽、映画等の映像データをディスプレイ１２６に、音声データをスピーカ１２８にそれぞれ出力させる。また、中央制御部１３０は、上述した操作部１２４を通じて受け付けたユーザの操作入力に応じて、ＡＶ機能部１３２やナビゲーション機能部１３４を制御する。
【００３８】
ＡＶ機能部１３２は、音楽や映画等のコンテンツを再生するＡＶ機能を実行する。ナビゲーション機能部１３４は、地図上に現在位置や走行方向を示し、目的地までのルートを案内する機能を実行する。かかるＡＶ機能部１３２が機能している制御モードをＡＶモード、ナビゲーション機能部１３４が機能している制御モードをＮＡＶＩモードとし、中央制御部１３０は、ユーザの操作入力に応じてそれぞれの制御モードを切り換える。
【００３９】
中央制御部１３０は、さらに、発光切換部１４０としても機能する。発光切換部１４０は、発光スイッチ部１２２に接続され、中央制御部１３０で設定された現在の制御モードに応じて、発光スイッチ部１２２の電力の供給先を切り換えることで、青色発光ダイオード１１８または赤色発光ダイオード１２０のいずれか一方を発光させる。
【００４０】
本実施形態において、発光切換部１４０は、現在の制御モードがＮＡＶIモードであった場合、発光スイッチ部１２２を通じて青色発光ダイオード１１８を発光させ、ＡＶモードであった場合、発光スイッチ部１２２を通じて赤色発光ダイオード１２０を発光させる。
【００４１】
図３は、第１の実施形態における操作表示部１０２の光の透過と遮光との関係を模式的に説明するための説明図である。特に図３（ａ）は、青色発光ダイオード１１８が発光した場合の光の透過と遮光との関係を示し、図３（ｂ）は、赤色発光ダイオード１２０が発光した場合の光の透過と遮光との関係を示している。ここでは、便宜上、青色発光ダイオード１１８と赤色発光ダイオード１２０とが各々１つずつ設けられた例を示している。
【００４２】
上述したように、遮光パネル１１０の遮光面は可視光を遮光するため、可視光が透過窓１１２からのみ漏出する。発光スイッチ部１２２が青色発光ダイオード１１８に電力を供給すると、図３（ａ）に示すように、青色発光ダイオード１１８が青色光を発光する。かかる青色光は、透過窓１１２ａに設けられたロングパスフィルタ１１４によって遮光される。しかし、青色光は、ショートパスフィルタ１１６を透過するため、透過窓１１２ｂでは遮光されずに透過される。また、遮光フィルタが何ら設けられていない透過窓１１２ｃでも、青色光は遮光されず透過される。
【００４３】
同様に、発光スイッチ部１２２が赤色発光ダイオード１２０に電力を供給すると、図３（ｂ）に示すように、赤色発光ダイオード１２０は赤色光を発光する。かかる赤色光は、透過窓１１２ｂに設けられたショートパスフィルタ１１６によって遮光される。しかし、赤色光は、ロングパスフィルタ１１４を透過するため、透過窓１１２ａでは遮光されずに透過される。また、遮光フィルタが設けられていない透過窓１１２ｃでも、赤色光は遮光されず透過される。
【００４４】
図４は、第１の実施形態における操作表示部１０２の制御モード別の表示例を示した説明図である。電子機器１００がＮＡＶＩモードのとき、操作表示部１０２には、図４（ａ）に示すように、地図の縮尺調節のための操作部１２４ａ、１２４ｃの特定情報である説明文字「−」、「＋」と、ＡＶモードへ切り替えるための操作部１２４ｂの特定情報である説明文字列「ＡＶモードへ切換」とが表示される。ＮＡＶＩモードのときに、操作部１２４ｂへ入力があると、中央制御部１３０はＮＡＶＩモードからＡＶモードへと切り換える。
【００４５】
また、電子機器１００がＡＶモードのとき、操作表示部１０２には、図４（ｂ）に示すように、音量調節のための操作部１２４ａ、１２４ｃの特定情報である説明文字「−」、「＋」と、ＮＡＶＩモードへ切り替えるための操作部１２４ｂの特定情報である説明文字列「ＮＡＶＩモードへ切換」とが表示される。ＡＶモードのときに、操作部１２４ｂへ入力があると、中央制御部１３０はＡＶモードからＮＡＶＩモードへと切り換える。
【００４６】
透過窓１１２の「ＡＶ」にあたる部分にはショートパスフィルタ１１６が重畳されているので青色発光ダイオード１１８の発光時にのみ点灯し、透過窓１１２の「ＮＡＶＩ」にあたる部分にはロングパスフィルタ１１４が重畳されているので赤色発光ダイオード１２０の発光時にのみ点灯する。また、その他の透過窓１１２（「−」、「＋」、「モードへ切換」にあたる部分）は何ら遮光フィルタが設けられていないので、いずれの発光ダイオードの発光時にも点灯する。従って、青色発光ダイオード１１８を点灯した際には操作表示部１０２を通じて「ＡＶモードへ切換」を視認でき、赤色発光ダイオード１２０を点灯した際には操作表示部１０２を通じて「ＮＡＶＩモードへ切換」を視認できる。
【００４７】
従って、ロングパスフィルタ１１４で覆われていない一部形状と、ショートパスフィルタ１１６で覆われていない一部形状といったように、それぞれ異なる複数の表示態様（発光位置と発光色との組合せ）を形成しておくことにより、発光する発光部（青色発光ダイオード１１８、赤色発光ダイオード１２０）を切り換える簡易な制御を実行するだけで、異なる複数の特定情報（文字や図形またはその組合せ、ここでは「ＡＶ」、「ＮＡＶＩ」）をユーザに視認させることができ、複雑な制御機構を用いることなく、低コストかつ多様な切換表示を実現することが可能となる。
【００４８】
また、以下に説明するように、本実施形態における操作表示部１０２は、「ＮＡＶＩ」と「ＡＶ」等のように、一方の文字列に他方が含まれている場合、より簡素な構成で、切換表示を実現することができる。
【００４９】
図５は、第１の実施形態における他の操作表示部１０２の表示態様を説明するための説明図である。図１と同様に、図５（ａ）は、操作表示部１０２の表示の機構を簡略的に示した説明図であり、図５（ｂ）および（ｃ）は、図４と同様に、操作表示部１０２の制御モード別の表示例を示している。
【００５０】
図５（ａ）において、操作表示部１０２には、図１とは異なり、ショートパスフィルタ１１６が設置されていない。また、ロングパスフィルタ１１４を、透過窓１１２の「Ｎ」、「Ｉ」にあたる部分にのみ重畳している。
【００５１】
図５（ｂ）において、青色発光ダイオード１１８が発光すると、ロングパスフィルタ１１４によって「ＮＡＶＩ」の文字列の「Ｎ」、「Ｉ」の部分の青色光が遮光され、残った「ＡＶ」の文字列が表示される。操作表示部１０２には、他の文字列と合わせて、「ＡＶモードへ切換」、「−」、「＋」と表示される。
【００５２】
また、図５（ｃ）において、赤色発光ダイオード１２０が発光すると、図４（ｂ）と異なりショートパスフィルタ１１６が無いため、ショートパスフィルタ１１６で赤色光が遮光されることはないので「ＮＡＶＩ」の文字列が表示される。従って、操作表示部１０２には、他の文字列と合わせて、「ＮＡＶIモードへ切換」、「−」、「＋」が表示される。
【００５３】
本実施形態の電子機器１００を用いると、ユーザは、赤色発光ダイオード１２０が発光している間、赤色光が透過窓１１２全体を通過するので透過窓１１２の全体形状を視認することができ、青色発光ダイオード１１８が発光している間、青色光が部分的にロングパスフィルタ１１４に遮られてしまうため、透過窓１１２のロングパスフィルタ１１４で覆われていない一部形状のみを視認することができる。
【００５４】
この透過窓１１２の全体形状と一部形状といったように、それぞれ異なる複数の表示態様を形成しておくことにより、発光する発光部を切り換える簡易な制御を実行するだけで、異なる複数の表示態様をユーザに視認させることができ、複雑な制御機構を用いることなく、低コストかつ多様な切換表示を実現することが可能となる。
【００５５】
ここでは、表示させる特定情報が「ＮＡＶＩ」と「ＡＶ」等のように、一方の文字列に他方の文字列が含まれる関係となっているため、「Ｎ」、「Ｉ」のみの表示／非表示を制御すればよく、上述したように、ロングパスフィルタ１１４もしくはショートパスフィルタ１１６のいずれか一方のみを用いるだけで、複数の表示態様の切換表示をより低コストに実現することが可能となる。
【００５６】
図６は、第１の実施形態における電子機器１００の表示態様の適用例を例示した説明図である。図６に示すように、電子機器１００には、操作表示部１０２と、操作部１２４と、ディスプレイ１２６と、スピーカ１２８が配されている。図６では、電子機器１００の現在の制御モードがＡＶモードであり、例えばＤＶＤの映像を再生している場合を示している。電子機器１００は、現在の制御モードであるＡＶモードからＮＡＶＩモードへ切り換えるための操作部１２４ｂの特定情報である説明文字列「ＮＡＶIモードへ切換」を表示している。
【００５７】
このように、高解像の表示機能を有するメインの表示部であるディスプレイ１２６とは別に、簡易に構成される操作表示部１０２を設けることで、予め数が制限されている複数の制御モードを切り換えるのみといった簡単な切換表示を低コストに実現することが可能となる。
【００５８】
（発光方法）
続いて上述した第１の実施形態における電子機器１００を用いた発光方法について、フローチャートを用いて説明する。
【００５９】
図７は、第１の実施形態における発光方法の処理の流れを説明するためのフローチャートである。電子機器１００の電源がＯＮになると、発光切換部１４０は、電子機器１００の現在の制御モードがＡＶモードであるか否かを判定し（Ｓ２００）、制御モードがＡＶモードである場合（Ｓ２００のＹＥＳ）、発光切換部１４０は、発光スイッチ部１２２を通じて青色発光ダイオード１１８を発光させる（Ｓ２０２）。また、発光切換部１４０は、現在の制御モードがＮＡＶＩモードである場合、即ちＡＶモードではない場合（Ｓ２００のＮＯ）、発光スイッチ部１２２を通じて赤色発光ダイオード１２０を発光させる（Ｓ２０４）。
【００６０】
そして、中央制御部１３０は、ユーザからの操作部１２４への操作入力の有無を判定し（Ｓ２０６）、操作入力有りと判定すると（Ｓ２０６のＹＥＳ）、その操作入力に対応した処理を実行する（Ｓ２０８）。中央制御部１３０が操作入力がないと判定した場合（Ｓ２０６のＮＯ）、特別な処理は行わない。かかる処理は、所定時間毎に繰り返し実行される。
【００６１】
このように、電子機器１００を用いた発光方法でも、簡易な構成でコスト削減を図りつつ、複数の表示態様を切換表示することが可能となる。
【００６２】
（第２の実施形態）
第１の実施形態では、電子機器１００を用いて、発光と遮光による表示態様の切換表示とそれに属する操作部１２４とを説明した。以下の第２の実施形態では、タッチパネルを備えた電子機器３００について説明する。
【００６３】
（電子機器３００）
図８は、第２の実施形態における電子機器３００の電気的な構成を示したブロック図である。電子機器３００は、青色発光ダイオード１１８および赤色発光ダイオード１２０を含む操作表示部３０２と、発光スイッチ部１２２と、操作部１２４と、ディスプレイ１２６と、スピーカ１２８と、タッチパネル３１０と、中央制御部３２８と、ラジオ機能部３３２と、コンパクトディスク（ＣＤ）を再生可能なＣＤ再生機能部３３４と、図示しない電力源と、を含んで構成される。上述した電子機器１００における構成要素として既に述べた、操作表示部３０２に含まれる青色発光ダイオード１１８および赤色発光ダイオード１２０と、発光スイッチ部１２２と、操作部１２４と、ディスプレイ１２６と、スピーカ１２８と、電力源とは、実質的に機能が同一なので重複説明を省略し、ここでは、構成が相違する、ラジオ機能部３３２と、ＣＤ再生機能部３３４と、タッチパネル３１０、中央制御部３２８を主に説明する。
【００６４】
ラジオ機能部３３２は、ラジオ放送を受信しスピーカ１２８から出力するラジオ機能を実行する。ＣＤ再生機能部３３４は、ＣＤを再生しスピーカ１２８から出力するＣＤ再生機能を実行する。かかるラジオ機能部３３２が機能している制御モードをラジオモード、ＣＤ再生機能部３３４が機能している制御モードをＣＤモードとする。
【００６５】
タッチパネル３１０は、抵抗膜方式、表面弾性波方式、赤外線方式、静電容量方式等の各種方式に固有の原理によって、ユーザが接触した位置を後述するタッチパネル制御部３４２に伝送する。また、タッチパネル３１０の操作入力を受ける面は検知領域を有している。検知領域には電子機器が行う機能が対応付けられている。
【００６６】
中央制御部３２８は、第１の実施形態と同様、中央処理装置（ＣＰＵ）を含む半導体集積回路で構成され、実行プログラムに従って電子機器３００全体を制御する。また、中央制御部３２８は、ユーザの操作入力に応じて、ラジオモードとＣＤモードとを切り換え、タッチパネル３１０の検知領域に、制御モードに応じた機能を割り当てる。さらに、中央制御部３２８は、発光切換部１４０、タッチパネル制御部３４２としても機能する。
【００６７】
タッチパネル制御部３４２は、ユーザがタッチパネル３１０に接触した位置、つまりユーザが操作入力を行った位置を検知すると、その位置が含まれる検知領域を特定する。中央制御部３２８は、そのユーザが触れた検知領域と、現在の制御モードとに基づいて対応する機能を特定する。そして中央制御部３２８は、その特定した機能を、ラジオ機能部３３２、ＣＤ再生機能部３３４等の各機能部に実行させる。
【００６８】
図９は、第２の実施形態における電子機器３００の操作表示部３０２の表示態様を説明するための説明図である。特に、図９（ａ）は、電子機器３００の操作表示部３０２の表示の機構を簡略的に説明した説明図であり、図９（ｂ）および（ｃ）は、操作表示部３０２の制御モード別の表示例である。第１の実施形態における電子機器１００と異なり、電子機器３００では、操作表示部３０２の前面側にタッチパネル３１０が重畳されている。
【００６９】
例えば、図９（ａ）において、現在の制御モードがＣＤ再生機能部３３２が機能しているＣＤモードである場合、発光切換部１４０は、発光スイッチ部１２２を通じて青色発光ダイオード１１８を発光させる。青色発光ダイオード１１８が発した青色光は、ロングパスフィルタ１１４で遮光されるので、ロングパスフィルタ１１４が重畳されていない透過窓１１２から漏出した青色光によって、操作表示部３０２には、図９（ｂ）に示すように、特定情報としての「前曲」、「次曲」、「Ｔｕｎｅｒへ切換」、「−」、「＋」が表示される。ＣＤモードのときに、範囲３０４へ入力があると、中央制御部３２８はＣＤモードからラジオモードへと切り換える。特定情報は、検知領域に割り当てられている機能の内容を示している。
【００７０】
また、現在の制御モードがラジオ機能部３３４が機能しているラジオモードである場合、発光切換部１４０は、発光スイッチ部１２２を通じて赤色発光ダイオード１２０を発光させる。赤色発光ダイオード１２０が発した赤色光は、ショートパスフィルタ１１６で遮光されるので、ショートパスフィルタ１１６が重畳されていない透過窓１１２から漏出した赤色光によって、操作表示部３０２には、図９（ｃ）に示すように、特定情報として「サーチＰＲＥＶ」、「サーチＮＥＸＴ」、「ＣＤへ切換」、「−」、「＋」が表示される。ラジオモードのときに、範囲３０４へ入力があると、中央制御部３２８はラジオモードからＣＤモードへと切り換える。このように、制御モードが変わると、発光する光源が変わるとともに、検知領域に対応する機能が中央制御部３２８によって変更される。
【００７１】
タッチパネル制御部３４２は、ユーザがタッチパネル３１０に接触した位置を検知するとその位置が含まれる検知領域を特定する。中央制御部３２８は、そのユーザが触れた検知領域と現在の制御モードとに基づいて、対応する機能を特定する。そして中央制御部３２８は、その特定した機能を、ＣＤ再生機能部３３２、ラジオ機能部３３４等の各機能部に実行させる。例えば、ＣＤモードのときに、図９（ｂ）に示した特定情報である「前曲」を囲む四角の範囲に対応したタッチパネル３１０の検知領域３０６ａ内の一部にユーザが接触すると、タッチパネル制御部３４２は、そのユーザが触れた位置が、「前曲」の機能に対応した検知領域３０６に含まれることを特定する。中央制御部４２８は、そのユーザが触れた検知領域と現在の操作モードから対応する機能を特定し、ＣＤ再生機能部３３２に「前曲」に当たる機能を実行させる。即ち、ＣＤ再生機能部３３２は、現在再生されている楽曲の前曲を先頭から再生する。
【００７２】
このように、タッチパネル３１０と簡易な切換表示を行う操作表示部３０２とを一体に構成することで、簡易な表示のために無駄に複雑な制御機構を用いず、低コストで、接触のみで操作入力を検知可能なタッチパネル式のユーザ入力機能を実現することができる。
【００７３】
（第３の実施形態）
上述した第２の実施形態では、タッチパネル３１０を備えた電子機器３００について説明したが、第３の実施形態では、さらに、それぞれの機能に対応するタッチパネル３１０の検知領域の大きさ（タッチパネル３１０全面における検知領域の配分）を変更可能な電子機器４００と、かかる電子機器４００を用いた発光方法について説明する。
【００７４】
図１０は、第３の実施形態における電子機器４００の電気的な構成を示したブロック図である。電子機器４００は、青色発光ダイオード１１８および赤色発光ダイオード１２０を含む操作表示部４０２と、発光スイッチ部１２２と、操作部１２４と、ディスプレイ１２６と、スピーカ１２８と、タッチパネル３１０と、コンテンツ再生機能部４３４と、図示しない電力源と、中央制御部４２８とを含んで構成される。上述した電子機器１００、３００における構成要素として既に述べた、操作表示部４０２に含まれる青色発光ダイオード１１８および赤色発光ダイオード１２０と、発光スイッチ部１２２と、操作部１２４と、ディスプレイ１２６と、スピーカ１２８と、タッチパネル３１０と、電力源と、は、実質的に機能が同一なので重複説明を省略し、ここでは、構成が相違する、コンテンツ再生機能部４３４と、中央制御部４２８とを主に説明する。
【００７５】
コンテンツ再生機能部４３４は、ＣＤ、ＭＤ、カセットテープ等、複数のソース（情報源）から、コンテンツを再生するコンテンツ再生機能を実行する。
【００７６】
中央制御部４２８は、第２の実施形態と同様、中央処理装置（ＣＰＵ）を含む半導体集積回路で構成され、電子機器４００全体を制御する。また、中央制御部４２８は、ユーザの操作部１２４への操作入力に応じて、電子機器４００の制御モードを、簡易入力のための簡易モードと、詳細入力のための詳細モードとで切り換える。さらに、中央制御部４２８は、発光切換部１４０、タッチパネル制御部４４２としても機能する。
【００７７】
タッチパネル制御部４４２は、第２の実施形態と同様、ユーザがタッチパネル３１０に接触した位置を検知すると、その位置が含まれる検知領域を特定する。中央制御部４２８は、そのユーザが触れた検知領域と、現在の制御モードとに基づいて対応する機能を特定する。そして中央制御部４２８は、その特定した機能を、コンテンツ再生機能部４３４に実行させる。さらに、タッチパネル制御部４４２は、青色発光ダイオード１１８と赤色発光ダイオード１２０との発光の切り換えに応じて、すなわち、電子機器４００の現在の制御モードに応じて、検知領域の数または大きさの内、少なくとも一方を変更する。換言すると、タッチパネル制御部４４２は、電子機器４００の現在の制御モードに応じて、タッチパネル３１０全面の中の検知領域の配分を切り換える。
【００７８】
図１１は、第３の実施形態における電子機器４００の操作表示部４０２の表示態様を説明するための説明図である。特に、図１１（ａ）は、電子機器４００の操作表示部４０２の表示の機構を簡略的に説明した説明図であり、図１１（ｂ）および（ｃ）は、操作表示部４０２の制御モード別の表示例である。
【００７９】
図１１（ａ）において、電子機器４００には、図９（ａ）とは異なり、ショートパスフィルタ１１６が設置されていない。また、ロングパスフィルタ１１４を「ＲＡＮＤＡＭ」、「ＳＫＩＰ」の文字列と、図１１（ｃ）において境界線として表示される部分３１２の透過窓１１２に、重なるように配している。
【００８０】
図１１（ｂ）に示すように、現在の制御モードが簡易入力のための簡易モードである場合、発光切換部１４０は、発光スイッチ部１２２を通じて青色発光ダイオード１１８を発光させる。そして、ロングパスフィルタ１１４によって「ＲＡＮＤＡＭ」、「ＳＫＩＰ」の文字列と、図１１（ｃ）において境界線として表示される部分３１２との青色光が遮光され、特定情報である「ソース」が表示される。
【００８１】
また、図１１（ｃ）に示すように、現在の制御モードが詳細入力のための詳細モードである場合、発光切換部１４０は、発光スイッチ部１２２を通じて赤色発光ダイオード１２０を発光させる。図９（ｃ）と異なり、当該操作表示部４０２にはショートパスフィルタ１１６が設けられていないため、赤色光が遮光されることなく、透過窓１１２によって形取られている「ＳＫＩＰ」、「ソース」、「ＲＡＮＤＡＭ」および境界線を示す部分３１２が表示される。
【００８２】
また、図１１（ｂ）において、タッチパネル３１０自体のどの位置にユーザが接触しても、タッチパネル３１０の全面が１つの検知領域となるように配分しており、タッチパネル制御部４４２は、かかる検知領域へのユーザの操作入力があったことを特定する。中央制御部４２８は、そのユーザの操作入力があった検知領域と、現在の制御モードとに基づいて対応する機能を特定する。そして中央制御部４２８は、その特定した機能を、コンテンツ再生機能部４３４に実行させる。簡易モードでは、一つの操作入力に対応したタッチパネル３１０の検知領域が大きいので操作性が向上する。
【００８３】
さらに、タッチパネル制御部４４２は、ユーザの操作部１２４への操作入力に応じて簡易モードから詳細モードに切り換えられると、図１１（ｃ）において示すように、タッチパネルの全面を「ＳＫＩＰ」、「ＲＡＮＤＡＭ」、「ソース」の３つの検知領域３０６ｂ、３０６ｃ、３０６ｄに配分する。
【００８４】
タッチパネル制御部４４２は、ユーザがタッチパネル３１０に接触した位置が「ＳＫＩＰ」、「ソース」、「ＲＡＮＤＡＭ」の３つの検知領域３０６ｂ、３０６ｃ、３０６ｄのうち、どの検知領域内に含まれるかを特定する。中央制御部４２８は、詳細モードにおいてユーザが触れた検知領域に対応する機能を特定しコンテンツ再生機能部４３４に実行させる。詳細モードでは、操作表示部４０２に表示された３つの選択肢から１つを選択して所望する機能を実行させるので、ユーザは細かい操作を遂行できる。
【００８５】
このように、タッチパネル３１０を操作表示部４０２と一体に構成することで、表示態様に応じた特定情報の切り換えと、１または複数の検知領域の、タッチパネル３１０全面の中の配分（検知領域の数、大きさ）の切り換えとを、連動させることができる。かかる構成により、複雑な制御機構を用いなくとも、低コストで、多様な検知領域に対応したタッチパネル式のユーザ入力機能を実現することが可能となる。
【００８６】
（発光方法）
続いて上述した第３の実施形態における電子機器４００を用いた発光方法について、フローチャートを用いて説明する。
【００８７】
図１２は、第３の実施形態における発光方法の処理の流れを説明するためのフローチャートである。電子機器４００の電源がＯＮになると、発光切換部１４０は、現在の制御モードが簡易モードであるか否かを判定し（Ｓ５００）、簡易モードである場合（Ｓ５００のＹＥＳ）、青色発光ダイオード１１８を発光させる（Ｓ５０２）。そして、タッチパネル制御部４４２は、タッチパネル３１０の全面を１つの検知領域に配分する（Ｓ５０４）。かかる簡易モードでは、選択される機能は１つであり、タッチパネル３１０の全検知領域と特定情報「ソース」に対応した機能とが対応することとなる。続いて、ユーザの操作入力があると（Ｓ５０６のＹＥＳ）、中央制御部４２８は、検知領域に対応した、ここでは特定情報「ソース」に対応した機能を実行する。つまり、コンテンツ再生機能部４３４が再生するソースを切り換える（Ｓ５０８）。
【００８８】
また、発光切換部１４０は、現在の制御モードが詳細モードである場合、即ち現在の制御モードが簡易モードではない場合（Ｓ５００のＮＯ）、赤色発光ダイオード１２０を発光させる（Ｓ５１０）。そして、タッチパネル制御部４４２は、図１１（ｃ）のようにタッチパネル３１０の全面を複数の検知領域３０６ｂ、３０６ｃ、３０６ｄに配分する。（Ｓ５１２）。
【００８９】
続いて、ユーザからの操作入力があると（Ｓ５１４のＹＥＳ）、タッチパネル制御部４４２は、ユーザがタッチパネル３１０に接触した位置が、「ＳＫＩＰ」の文字列が表示された部分に対応した検知領域３０６ｂに含まれるかを判定する（Ｓ５１６）。検知領域３０６ｂに含まれる場合（Ｓ５１６のＹＥＳ）、中央制御部４２８は、詳細モードの「ＳＫＩP」に対応する機能を特定し、コンテンツ再生機能部４３４に、現在、再生しているコンテンツをスキップ処理させ、次のコンテンツを先頭から再生させる（Ｓ５１８）。
【００９０】
「ＳＫＩＰ」の文字列が表示された部分に対応した検知領域３０６ｂに、ユーザが接触した位置が含まれない場合（Ｓ５１６のＮＯ）、タッチパネル制御部４４２は、「ソース」の文字列が表示された部分に対応した検知領域３０６ｃに含まれるかを判定する（Ｓ５２０）。検知領域３０６ｃに含まれる場合（Ｓ５２０のＹＥＳ）、中央制御部４２８は、「ソース」に対応した機能を実行する。つまり、コンテンツ再生機能部４３４が再生するソースを切り換える（Ｓ５２２）。
【００９１】
かかる詳細モードでは、タッチパネル３１０の全検知領域が３つに分割され、１つの機能に割り当てられた検知領域は小さくなるが、ユーザの機能の選択肢は３つに増える。特定情報「ＳＫＩＰ」「ソース」「ＲＡＮＤＡＭ」にそれぞれ対応した機能が、３つの検知領域３０６ｂ、３０６ｃ、３０６ｄにそれぞれ対応することとなる。
【００９２】
位置検知情報が示す位置が「ソース」の文字列が表示された部分の検知領域３０６ｃに含まれない場合（Ｓ５２０のＮＯ）、タッチパネル制御部４４２は、「ＲＡＮＤＡＭ」の文字列が表示された部分に対応した検知領域３０６ｄに含まれると判断し、中央制御部４２８は、コンテンツ再生機能部４３４に、コンテンツの再生を停止させ、ランダムに選択したコンテンツの再生を始めさせる（Ｓ５２４）。
【００９３】
操作入力が無い場合（Ｓ５０６のＮＯ、Ｓ５１４のＮＯ）、もしくは各検知領域に対応付けられた機能を実行すると（Ｓ５０８、Ｓ５１８、Ｓ５２２、Ｓ５２４）、制御モード判定ステップ（Ｓ５００）に戻る。かかる処理は、所定時間毎に繰り返し実行される。
【００９４】
このように、電子機器４００を用いた発光方法では、簡易な構成でコスト削減を図りつつ、複数の表示態様を切換表示するとともに、切換表示した表示内容に連動して、検知領域、およびタッチパネル３１０全面の中の検知領域の配分を変更することが可能となる。
【００９５】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９６】
例えば、上述した実施形態の電子機器では、フィルタを１つもしくは２つ、発光部を２つとしたが、フィルタおよび発光部を３つ以上配してもよい。かかる構成により、３つ以上の特定情報を切換表示することができる。
【００９７】
また、上述した実施形態では、電子機器に操作部やタッチパネルを備える例を挙げたが、かかる場合に限定されず、電子機器を単純な標識として、例えば、商店の「開店」、「閉店」を切換表示したり、駐車場の空き状態を「空車」、「満車」と切換表示してもよい。
【００９８】
なお、本明細書の発光方法における各工程は、必ずしもフローチャートとして記載された順序に沿って時系列に処理する必要はなく、並列的あるいはサブルーチンによる処理を含んでもよい。
【産業上の利用可能性】
【００９９】
本発明は、発光を通じて視覚的に情報を提示する電子機器に利用することができる。
【符号の説明】
【０１００】
１００  …電子機器
１１０  …遮光パネル
１１２  …透過窓
１１４  …ロングパスフィルタ
１１６  …ショートパスフィルタ
１１８  …青色発光ダイオード
１２０  …赤色発光ダイオード
１２２  …発光スイッチ部
１４０  …発光切換部
３１０  …タッチパネル
３２８、４２８  …中央制御部
３４２、４４２  …タッチパネル制御部
【図１】
2010217716.tif 000003
【図２】
2010217716.tif 000004
【図３】
2010217716.tif 000005
【図４】
2010217716.tif 000006
【図５】
2010217716.tif 000007
【図６】
2010217716.tif 000008
【図７】
2010217716.tif 000009
【図８】
2010217716.tif 000010
【図９】
2010217716.tif 000011
【図１０】
2010217716.tif 000012
【図１１】
2010217716.tif 000013
【図１２】
2010217716.tif 000014